(57)【要約】【課題】スタンドやグリップ等を後付けすることが不要で、製品の見た目の向上を図ることができる電子機器を提供する。【解決手段】タブレットＰＣ１００は、本体部１０と、背面部９と、可動部２２と、背面部材２４を備える。本体部１０は、表示部１１を有し、入力された情報を処理する。背面部９は、本体部１０における表示部１１と反対側の背面１０ａを覆う。可動部２２は、背面部９における本体部１０と対向する対向面１９ａと反対側の後面１９ｂに取り付けられる。背面部材２４は、伸縮性を有し、背面部９と可動部２２を覆う。【選択図】図５
2013131166.tif 000002
【特許請求の範囲】
【請求項１】
表示部を有し、入力された情報を処理する本体部と、
前記本体部における前記表示部と反対側の背面を覆う背面部と、
前記背面部における前記本体部と対向する対向面と反対側の後面に取り付けられる可動部と、
伸縮性を有し、前記背面部と前記可動部を覆う背面部材と、を備える
電子機器。
【請求項２】
前記可動部は、前記本体部及び前記背面部の姿勢を保持するスタンドである
請求項１に記載の電子機器。
【請求項３】
前記スタンドは、前記本体部及び前記背面部の姿勢を少なくとも２段階以上変更可能である
請求項２に記載の電子機器。
【請求項４】
前記背面部の前記後面から露出し、前記本体部の操作を行う操作部が備えられ、
前記背面部材は、前記操作部を覆う
請求項３に記載の電子機器。
【請求項５】
前記本体部の前記背面には、光を出射する光源部が備えられ、
前記背面部には、前記光源部から出射された前記光が透光する導光部を設けた
請求項４に記載の電子機器。
【請求項６】
前記背面部材は、前記背面部の前記後面から前記背面部の前記対向面の端部を覆い、
前記背面部材の端部は、前記背面部の前記対向面側に巻き込まれて固定される
請求項５に記載の電子機器。
【請求項７】
前記スタンドは、
前記背面部の前記後面に設けられた回動機構と、
前記背面部から離反又は前記背面部に接近するように前記回動機構に支持される可動部材と、を有する
請求項６に記載の電子機器。
【請求項８】
前記スタンドは、
前記背面部の前記後面に形成されるガイド部と、
前記ガイド部に移動可能に支持される２つのスライダーと、
前記２つのスライダーを連結するワイヤーと、を備え、
前記ガイド部には、前記２つのスライダーの位置を調整する調整部が設けられている
請求項６に記載の電子機器。
【請求項９】
前記本体部は、外部装置と無線通信可能な通信部を有する
請求項６に記載の電子機器。
【発明の詳細な説明】
【技術分野】
【０００１】
本開示は、表示部を有するパーソナルコンピュータやテレビ受像機等の電子機器に関する。
【背景技術】
【０００２】
従来の電子機器としては、パーソナルコンピュータ、テレビ受像機、携帯端末などを挙げることができる。ユーザが、これらの電子機器に表示された映像を視認するために、電子機器の後面にスタンドが設けられていた。このスタンドは、電子機器の姿勢を保持しており、ユーザの鑑賞形態の自由度を高めている（特許文献１参照）。また、電子機器には、ユーザが持ち運ぶためにグリップが設けられていた。
【０００３】
特許文献１には、筐体の前面に画像が表示される表示面が設けられ、この表示面と反対側にある筐体の後面に直線状に延在するロッドからなるスタンドが設けられている画像表示装置が記載されている。このスタンドは、筐体の後面と連結機構により連結されている。そして、連結機構は、スタンドが筐体の後面上に倒伏する倒伏位置と、スタンドが筐体の後面から起立する起立位置との間で、揺動可能にスタンドを支持する。
【先行技術文献】
【特許文献】
【０００４】
【特許文献１】特許４７９８４６２号公報
【発明の概要】
【発明が解決しようとする課題】
【０００５】
しかしながら、特許文献１に記載された画像表示装置では、スタンドが別部材により形成され、その後、画像表示装置の筐体に取り付けられていた。このように、従来の電子機器では、筐体とスタンドやグリップ等の可動部のつなぎ目が露出し、見た目が悪く、製品全体に一体感がなかった。
【０００６】
本開示は、上記の問題点を考慮し、スタンドやグリップ等を後付けすることが不要で、製品の見た目の向上を図ることができる電子機器を提供することである。
【課題を解決するための手段】
【０００７】
上記課題を解決するために、本開示のキーボードは、本体部と、背面部と、可動部と、背面部材とを備える。
本体部は、表示部を有し、入力された情報を処理する。背面部は、本体部における表示部と反対側の背面を覆う。可動部は、背面部における前記本体部と反対側の後面に取り付けられる。背面部材は、伸縮性を有し、背面部と可動部を覆う。
【発明の効果】
【０００８】
本開示の電子機器によれば、可動部が取り付けられる背面部を背面部材により覆うことで、可動部が背面部と一体となり、スタンドやグリップ等の可動部を後付けすることが不要となる。また、背面部材が可動部と背面部のつなぎ目を隠すことで、見た目が向上し、製品全体として、一体感が生まれる。
【図面の簡単な説明】
【０００９】
【図１】本開示の一の実施形態に係る電子機器及びキーボードを示す斜視図である。
【図２】本開示の一の実施形態に係る電子機器を本体部と背面部に分離した状態を示す斜視図である。
【図３】本開示の一の実施形態に係る電子機器の本体部を背面側から見た説明図である。
【図４】本開示の一の実施形態に係る電子機器の背面部を後面側から見た説明図である。
【図５】図５Ａは本開示の一の実施形態に係る電子機器の可動部を収納部に収納した状態で図１に示すＫ−Ｋ線に沿って断面した断面図である。図５Ｂは図５Ａに示す本開示の一実施形態に係る電子機器における背面部の周縁部の要部を示す断面図である。
【図６】本開示の一の実施形態に係る電子機器を図１に示すＫ−Ｋ線に沿って断面した断面図である。
【図７】本開示の一の実施形態に係る電子機器が可動部により電子機器の姿勢が保持された状態を背面部から見た斜視図である。
【図８】図８Ａは本開示の他の実施形態に係る電子機器を断面した断面図である。図８Ｂは図８Ａに示すＬ−Ｌ線に沿って断面した断面図である。図８Ｃは図８Ｂに示す本開示の他の実施形態に係る電子機器における収納部を背面側から見た説明図である。
【図９】図９Ａは本開示の他の実施形態に係る電子機器の可動部材が収納部から露出した状態を断面した断面図である。図９Ｂは図９Ａに示すＭ−Ｍ線に沿って断面した断面図である。図９Ｃは図９Ｂに示す本開示の他の実施形態に係る電子機器における収納部を背面側から見た説明図である。
【図１０】図１０Ａは本開示の他の実施形態に係る電子機器の可動部材が収納部からさらに露出した状態を断面した断面図である。図１０Ｂは図１０Ａに示すＮ−Ｎ線に沿って断面した断面図である。図１０Ｃは図１０Ｂに示す本開示の他の実施形態に係る電子機器における収納部を背面側から見た説明図である。
【図１１】本開示の一の実施形態に係るキーボードの電源をオフにした状態を示す斜視図である。
【図１２】本開示の一の実施形態に係るキーボードのキー入力部における一のキーを押した時に他のキーの表示が変化した状態を示す説明図である。
【図１３】本開示の一の実施形態に係るキーボードを図１１に示すＳ−Ｓ線に沿って断面して、キーボードのフレーム部材とベース部材を分離した状態を示す断面図である。
【図１４】図１４Ａは図１１に示すＳ−Ｓ線に沿って断面した断面図である。図１４Ｂは図１４Ａに示す本開示の一の実施形態に係るキーボードのフレーム部材とキー入力部の要部を示す断面図である。図１４Ｃは図１４Ａに示す本開示の一の実施形態に係るキーボードにおけるベース部材の固定部の要部を示す断面図である。
【図１５】本開示の一の実施形態に係るキーボードの可変部がベース部材から離反した状態を示す断面図である。
【図１６】本開示の他の実施形態に係るキーボードをベース部材側から見た斜視図である。
【発明を実施するための形態】
【００１０】
以下に、本開示の電子機器及びキーボードの実施形態例について、図１〜図１６を参照して説明する。なお、各図において共通の部材には、同一の符号を付している。また、本開示は、以下の形態に限定されるものではない。
なお、説明は以下の順序で行う。
１．電子機器の構成例
２．電子機器における可動部の動作例
３．電子機器の他の構成例
４．キーボードの構成例
５．キーボードの他の構成例
【００１１】
＜１．電子機器の構成例＞
まず、本開示の電子機器の一実施形態例であるタブレット型パーソナルコンピュータ（以下、「タブレットＰＣ」という。）について、図１及び図２を参照して説明する。
図１は本開示の電子機器及びキーボードを示す斜視図であり、図２は本開示の電子機器を本体部と背面部に分離した状態を示す斜視図である。
【００１２】
図１に示すように、情報処理装置１は、タブレットＰＣ１００と、キーボード本体３００を有する。タブレットＰＣ１００は、配線４により、キーボード本体３００に接続している。本開示では、タブレットＰＣ１００が配線４によりキーボード本体３００と接続しているが、これに限定されない。例えば、タブレットＰＣ１００の本体部１０に通信部を設け、この通信部が無線等により外部装置との間で情報を送受信可能に接続されていればよい。また、外部装置としては、キーボード以外に、例えば、マウス、プリンタ等を挙げることができる。
【００１３】
図２に示すように、タブレットＰＣ１００は、本体部１０と、背面部９とにより構成されている。
【００１４】
［本体部］
本体部１０は、扁平な略直方体状に形成されている。本体部１０の前面１０ａは、略平面状に形成されている。本体部１０の前面１０ａには、後述する前面板１２が取り付けられている。そして、本体部１０の背面１０ｂの略中央部は、背面部９に向けて膨出している。本体部１０の背面１０ｂ側は、背面部９に覆われている（図５Ａ参照）。この本体部１０は、表示パネル１１と、前面板１２と、カバー部材１３と、第１の光源部１５と、第２の光源部１６と、操作部１７（図３参照）とを有している。
【００１５】
表示パネル１１としては、例えば、液晶ディスプレイや有機ＥＬ（Electro Luminescence）ディスプレイ、表面電界ディスプレイ等が挙げられる。図示しないが、本体部１０における背面部９側には、表示パネル１１の画面を制御する制御装置が搭載された配線基板等が収納されている。これにより、表示パネル１１に、各種の情報を表示することができる。
【００１６】
また、表示パネル１１は、タッチパネル式の入力装置を備えている。タッチパネル式の入力装置としては、例えば、抵抗膜型、静電容量型など、その他各種のタッチパネル式の入力装置を挙げることができる。
【００１７】
前面板１２は、略長方形状の平板に形成されている。この前面板１２は、その中央に開口部１４を有する。開口部１４の大きさは、表示パネル１１の大きさに合わせて設定される。前面板１２の開口部１４には、表示パネル１１が図示しないフレーム部材を介して固定される。これにより、表示パネル１１は、開口部１４から露出する。
【００１８】
カバー部材１３は、略長方形状の透明な平板に形成されている。カバー部材１３の大きさは、前面板１２の大きさに合わせて設定される。このカバー部材１３は、表示パネル１１及び前面板１２を覆っている。これにより、カバー部材１３は、表示パネル１１に傷がつくことや汚れがつくことなどを防止することができる。
【００１９】
図３に示すように、本体部１０の背面１０ｂには、第１の光源部１５と第２の光源部１６が設けられている。これらの第１の光源部１５及び第２の光源部１６は、背面部９側に向かって光を出射する。第１の光源部１５から出射された光は、後述する背面部９の導光部２５を透過する。また、第２の光源部１６から出射された光は、後述する操作部１７を透過する。第１の光源部１５と第２の光源部１６としては、例えば、発光ダイオードなど各種の光源を挙げることができる。
【００２０】
また、第１の光源部１５と第２の光源部１６は、本体部１０の背面１０ｂに設置されているが、これに限定されない。光源部から出射された光が導光部２５や操作部１７を透過すればよく、光源部の設置箇所を、導光部２５や操作部１７に合わせて設置することができる。
【００２１】
操作部１７は、第２の光源部１６に取り付けられている。そして、操作部１７は、不図示の配線により本体部１０の制御装置に接続される。この操作部１７は、例えば、タブレットＰＣ１００の電源や、音量の調整を操作する機能を有する。
【００２２】
操作部１７は、例えば、押圧式のメカニカルスイッチを適用することができ、円形のボタンスイッチや略楕円形状のボタンスイッチなどにより構成される。操作部１７が押されると、操作部１７からの情報が本体部１０に信号として送信される。本体部１０は、操作部１７から受信した信号に基づいて処理を行う。操作部１７の入力方法としては、メカニカルな押圧ボタン式以外にもタッチパネル式などを挙げることができる。
【００２３】
なお、本開示のタブレットＰＣ１００では、操作部１７を本体部１０に設けたが、これに限定されない。例えば、操作部を背面部９に設けてもよい。
【００２４】
［背面部］
次に、背面部９について、図２、図４及び図５を参照して説明する。
図４は本開示の電子機器における背面部９を後面から見た状態を示す説明図である。図５Ａは図１に示すＫ−Ｋ線に沿って断面した断面図である。
【００２５】
図２に示すように、背面部９は、背面板１９と、可動部２２（図５Ａ参照）と、背面部材２４とを有している。背面板１９は、略長方形状の平板に形成される。図５Ａに示すように、背面板１９は、本体部１０における表示パネル１１と反対側に配置される。この背面板１９は、本体部１０の背面１０ｂと対向する。背面板１９は、略長方形状の基板部２７と、周縁部２０により形成される。
【００２６】
基板部２７の端部には、周縁部２０が連続して設けられている。周縁部２０は、基板部２７に対して所定の角度を傾斜させて接続している。そして、背面板１９は、略皿状に形成される。
【００２７】
また、図２に示すように、周縁部２０には、周縁部２０を貫通する貫通孔３５が設けられている。貫通孔３５は、本体部１０に取り付けられた操作部１７の位置に対応して配置される。そして、貫通孔３５には、本体部１０に取り付けられた操作部１７が挿入される。
【００２８】
図５Ａに示すように、背面板１９における基板部２７と周縁部２０によって収容部１８が形成される。収容部１８には、本体部１０が収容される。このとき、周縁部２０の端部が、前面板１２の端部と近接する。
【００２９】
背面板１９は、導光部２５と、収納部２６とを有する。図２に示すように、導光部２５は、略長方形状の透明な板状の部材により形成されている。導光部２５は、基板部２７に設けられている。この導光部２５は、基板部２７における短手方向の一端側に位置する。また、導光部２５は、その長手方向が基板部２７の長手方向に沿って形成される。
【００３０】
そして、図５Ａに示すように、導光部２５は、前面板１２に設けられた第１の光源部１５と対向して配置される。導光部２５は、第１の光源部１５から出射された光を背面板１９の後面１９ｂ側に導光する。
【００３１】
図４に示すように、収納部２６は、背面板１９の後面１９ｂにおける短手方向の一端側に配置される。また、図５Ａに示すように、収納部２６は、導光部２５に近接した位置に設けられている。そして、収納部２６は、背面板１９の後面１９ｂから対向面１９ａ側に凹んで形成される。この収納部２６は、背面板１９の長手方向に中央部から両端部に向かって設けられる（図２参照）。収納部２６には、後述する可動部２２が収納される。
【００３２】
次に、可動部２２について、図５Ａ、図６及び図７を参照して説明する。
図６は本開示の一の実施形態に係る電子機器を図１に示すＫ−Ｋ線に沿って断面した断面図である。図７は本開示の一の実施形態に係る電子機器が可動部により電子機器の姿勢が保持された状態を背面部から見た斜視図である。
【００３３】
図５Ａに示すように、可動部２２は、前述したように、背面板１９の後面１９ｂに設けられた収納部２６に収納される。この可動部２２は、可動部材３１と、回動機構３２により構成される。
【００３４】
可動部材３１は、略半円形状の透明な平板に形成される。可動部材３１が収納部２６に収納されるため、可動部材３１の厚さは、収納部２６の深さと略同じ長さに設定されている。可動部材３１における弧の部分には、外縁部３１ａが形成され、可動部材３１における弦の部分には、基部３１ｂが形成されている。そして、可動部材３１の基部３１ｂには、回動軸３３が取り付けられている。
【００３５】
回動機構３２は、例えば、背面板１９に設けられた不図示の軸受部と、回動軸３３と、回動軸３３に対してひねられて取り付けられた不図示の弾性部材により構成される。弾性部材には、例えば、コイルばね等が用いられる。可動部材３１に取り付けられた回動軸３３は、軸受部に回動可能に支持される。これにより、可動部材３１は、回動軸３３を介して、背面板１９の後面１９ｂに対して離反又は接近するように回動する。なお、可動部材３１が収納部２６に収納されているときは、弾性部材はその弾性力に抗してひねられて収納されている。
【００３６】
本開示では、軸受部を背面板１９に設けたが、可動部材３１に軸受部を設け、回動軸３３を背面板１９に設けてもよい。
【００３７】
可動部材３１の外縁部３１ａには、切欠き部３１ｃが設けられている。この切欠き部３１ｃは、背面部９に設けたストッパー３４と係合する。ストッパー３４は、略長方形状の平板に形成されている。そして、ストッパー３４は、可動部材３１の外縁部３１ａと当接しているため、可動部材３１の回動を規制することができる。可動部材３１の回動を規制することで、可動部材３１が収納部２６から露出せず、可動部材３１を収納部２６に確実に収納することができる。
【００３８】
なお、様々な手法によりストッパー３４を外す構成とすることができる。例えば、ユーザがストッパー３４を押下した場合に、ストッパー３４が切欠き部３１ｃから外れて、可動部材３１が回動するような構成とすることができる。また、他の例としては、モータの駆動により、ストッパー３４を外すことで、可動部材３１が自動的に回動するような構成としてもよい。また、可動部２２の動作については、後で詳しく述べる。
【００３９】
図６に示すように、ストッパー３４を外すと、ひねられて取り付けられた弾性部材は、可動部材３１を背面板１９から離反する方向に付勢する。弾性部材が可動部材３１を背面板１９から離反する方向に付勢することで、可動部材３１は、回動軸３３を介して背面板１９から離反する方向に回動する。回動機構３２は、可動部材３１の外縁部３１ａを背面板１９から離反させる。そして、回動機構３２は、可動部材３１を背面板１９と直交するまで回動させる。これにより、図７に示すように、可動部２２は、本体部１０及び背面部９の姿勢を保持するスタンドとなる。
【００４０】
また、ユーザが弾性部材の弾性力に抗して可動部材３１を背面板１９に接近させると、可動部材３１は収納部２６に収納される（図４参照）。これにより、可動部材３１が背面板１９の後面１９ｂから突出せず、背面部９に凹凸がないフラットな面を形成することができる。
【００４１】
また、可動部材３１は、透過可能な部材で形成されている。そして、第１の光源部１５から出射された光が、導光部２５を介して透過して、可動部材３１も透過する。そのため、この光が可動部２２の端部を示す灯りとなる。また、第２の光源部１６から出射された光が、操作部１７を透過する。そのため、この光が操作部１７の位置を示す灯りとなる。
【００４２】
次に、背面部材２４について、図５及び図７を参照して説明する。
図５Ｂは、本開示の電子機器における背面部の周縁部の要部を示す断面図である。
【００４３】
背面部材２４は、伸縮性及び柔軟性に優れた部材であり、背面部材２４としては、例えば、ポリウレタンやシリコーンゴムなどを挙げることができる。図５Ａ及び図７に示すように、背面部材２４は、第１の光源部１５や第２の光源部１６から出射された光を透過させる。なお、第１の光源部１５や第２の光源部１６から出射された光が透過するように、背面部材２４は、透光性を有する部材であることが好ましい。
【００４４】
背面部材２４は、背面板１９の後面１９ｂと、可動部２２と、背面板１９から露出した操作部１７を覆っている。図５Ｂに示すように、背面部材２４は、背面板１９の後面１９ｂから背面板１９の対向面１９ａに巻き込まれる。そして、背面部材２４の端部は、背面板１９の対向面１９ａにおける端部１９ｃに固定される。そして、背面部材２４の端部は、本体部１０と背面部９により挟持される。これにより、背面部９に背面部材２４を強力に固定することができる。なお、背面部材２４の固定方法としては、例えば、接着剤や圧着などにより固定される。
【００４５】
背面部材２４が背面板１９の後面１９ｂを覆っているため、背面板１９の後面１９ｂに設けられた可動部２２や、背面板１９の後面１９ｂから露出する操作部１７を背面部材２４により隠すことができる。これにより、背面部９のパーティングラインや部材のつなぎ目を隠すことができ、シームレスな外観を有するタブレットＰＣを提供することができる。また、背面部材２４を十分に薄く形成させることで、操作部１７をタッチパネル式としてもユーザが操作部１７により本体部１０を操作することができる。
【００４６】
また、背面部材２４の端部が背面板１９の対向面１９ａに巻き込まれて固定されている。これにより、背面部材２４に張力が働き、可動部２２の動きに対して、背面部材２４が伸縮し追従する。その結果、背面部９の外観を滑らかな曲面を有する形状とすることができる。そして、背面部材２４を背面板１９の対向面１９ａに巻き込んで固定することで、背面部材２４に適度な張力が働き、背面部材２４にしわがよりにくくなる。さらに、本体部１０の端部と周縁部２０の端部が近接するため、ユーザが視認できるつなぎ目を最小限にすることができる。これにより、本体部１０と背面部９に一体感が生まれる。
【００４７】
ここで従来のタブレットＰＣでは、姿勢を保持するために、別部材のスタンドを後で取り付けていた。これに対し、本開示のタブレットＰＣ１００では、背面部９に予めスタンドとなる可動部２２が取り付けられている。そして、可動部２２は、背面部９に設けられた収納部２６に収納されている。その結果、タブレットＰＣ１００の姿勢を保持するスタンドを後で取り付ける必要がなくなる。また、背面部９は、背面部材２４に覆われている。そのため、可動部２２を背面部材２４で隠すことができ、一見してスタンドを有さないタブレットＰＣ１００を提供することができる。
【００４８】
なお、背面部材２４の表面に背面部材２４を保護するコーティングをしてもよい。例えば、撥水コーティングや防汚コーティング等をしておくことができる。
【００４９】
そして、本開示では、電子機器の一例としてタブレット型パーソナルコンピュータを適用した例を説明したが、これに限定されない。例えば、電子機器の他の例としては、携帯端末やテレビ受像機等を挙げることができる。
【００５０】
また、本開示では、可動部２２をスタンドとして適用した例について説明したが、これに限定されない。例えば、可動部２２をグリップ部等に適用することも可能である。
【００５１】
＜２．電子機器における可動部の動作例＞
次に、タブレットＰＣ１００における可動部２２の動作例について、図５〜図７を参照して説明する。
【００５２】
図５Ａに示すように、まず、背面板１９における収納部２６には、可動部２２が収納されている。このとき、背面部材２４は、背面板１９の後面１９ｂに密着している。
【００５３】
次いで、ユーザが、例えば、ストッパー３４を押下する。すると、ストッパー３４が外れ、不図示の弾性部材により付勢されている可動部材３１が回動する。このとき、可動部材３１の回動に伴い、背面部材２４は、可動部材３１に押圧され、伸びる。
【００５４】
そして、可動部材３１は、背面部材２４を押圧しながら、背面板１９と直交するまで回動する。これにより、可動部２２は、本体部１０及び背面部９の姿勢を保持するスタンドとなる。そして、タブレットＰＣ１００は、可動部２２により支持されることで、姿勢を保持することができる。
【００５５】
また、ユーザが、可動部材３１を弾性部材の弾性力に抗して押し上げることで、可動部材３１が回動する。そして、回動する可動部材３１は、収納部２６に収納される。
【００５６】
なお、可動部材３１が背面板１９と直交することで、可動部２２が、本体部１０及び背面部９の姿勢を保持するスタンドとなるが、これに限定されない。例えば、可動部２２にロック機構を設け、可動部材３１の背面板１９に対する角度をロック機構により規制することで、本体部１０及び背面部９の姿勢を２段階以上変更可能とすることができる。また、この可動部２２をグリップ部として適用することができる。
【００５７】
また、本開示では、弾性部材としてコイルばねを例に挙げて説明したが、他のバネも用いることもできる。
【００５８】
さらに、モータの駆動により、回動軸３３を回すことで、可動部材３１が自動的に回動するような構成としてもよい。
【００５９】
＜３．電子機器における可動部の他の構成例＞
本開示の電子機器における可動部の他の例について、図８〜図１０を参照して説明する。
図８は、本開示の他の実施形態に係る電子機器を断面した断面図である。図９は、本開示の他の実施形態に係る電子機器の可動部材が収納部から露出した状態を断面した断面図である。また、図１０は、本開示の他の実施形態に係る電子機器の可動部材が収納部からさらに露出した状態を断面した断面図である。
【００６０】
他の実施形態例に係るタブレットＰＣ２００が一の実施形態例に係るタブレットＰＣ１００と異なるところは、可動部である。ここでは、可動部に関連する事項について説明し、一の実施形態例に係るタブレットＰＣ１００と共通する部分については説明を省略する。
【００６１】
図８Ａに示すように、タブレットＰＣ２００は、本体部１０と、背面部２０２を有する。この背面部２０２は、背面板２１９と、可動部２２２と、ガイド部２２６と、背面部材２４とを有している。背面板２１９は、本体部１０の背面１０ｂと対向する。
【００６２】
ガイド部２２６は、背面板２１９の後面２１９ｂにおける導光部２５と隣接する位置に設けられている。ガイド部２２６は、背面板２１９の後面２１９ｂから対向面２１９ａ側に凹んで形成される溝部である。ガイド部２２６は、背面板２１９の長手方向に沿って延在して形成されている。ガイド部２２６に後述する可動部２２２が収納されるため、ガイド部２２６の大きさは、可動部２２２の大きさに合わせて形成される。
【００６３】
また、ガイド部２２６の壁面には、第１の突起部２５３ａ，２５３ｂと、第２の突起部２５４ａ，２５４ｂが設けられている。第１の突起部２５３ａ，２５３ｂは、第２の突起部２５４ａ，２５４ｂよりも、ガイド部２２６が延在する方向の外側に配置される。第１の突起部２５３ａ，２５３ｂと第２の突起部２５４ａ，２５４ｂは、後述するスライダー２３１ａ，２３１ｂのガイド部２２６内における位置を調整する調整部である。なお、本開示では、調整部となる突起部を２組設けているが、突起部の個数は限定されない。すなわち、突起部を１組設けるだけでもよいし、３組以上設けてもよい。
【００６４】
可動部２２２は、ガイド部２２６に収納される。この可動部２２２は、スライダー２３１ａ，２３１ｂと、ワイヤー２３２とにより構成される。
【００６５】
スライダー２３１ａは、ガイド部２２６が延在する方向の一端に配置され、スライダー２３１ｂは、ガイド部２２６が延在する方向の他端に配置されている。スライダー２３１ａ，２３１ｂは、略長方形状の板部材により形成され、ガイド部２２６に支持される。スライダー２３１ａ，２３１ｂは、ガイド部２２６の延在する方向に沿って移動することができる。
【００６６】
スライダー２３１ａ，２３１ｂは、ガイド部２２６に配置されるため、スライダー２３１ａ，２３１ｂの厚さは、ガイド部２２６の深さと略同じ長さに設定されている。スライダー２３１ａとスライダー２３１ｂは、ワイヤー２３２により接続されている。
【００６７】
ワイヤー２３２は、例えばピアノ線などにより形成される。このワイヤー２３２の長さは、ガイド部２２６が延在する方向の一端から他端までの長さと略同じである。
【００６８】
図８Ｂに示すように、ユーザが、ガイド部２２６の両端部に位置するスライダー２３１ａ，２３１ｂをガイド部２２６が延在する方向の中央部に移動させると、第１の突起部２５３ａ，２５３ｂを乗り越える。このとき、ワイヤー２３２はたわんで、本体部１０と反対側に突出する。そして、ワイヤー２３２は、背面部材２４を押圧し、伸ばす。
【００６９】
一方、背面部材２４は、その縮む力がワイヤー２３２に働き、ワイヤー２３２を押圧する。ワイヤー２３２が背面部材２４に押圧されると、スライダー２３１ａ，２３１ｂが両端部に向かって移動する。このとき、スライダー２３１ａ，２３１ｂは、第１の突起部２５３ａ，２５３ｂに当接する。これにより、スライダー２３１ａ，２３１ｂは、第１の突起部２５３ａ，２５３ｂよりもガイド部２２６が延在する方向の両端部側に移動することが規制される。
【００７０】
このとき、ワイヤー２３２が背面板２１９からわずかに突出した第１の形態を形成する。第１の形態では、ユーザが可動部２２２をつかむことができる。そのため、可動部２２２は、ユーザがつかむグリップ部となる。
【００７１】
図８Ｃに示すように、ユーザが、第１の突起部２５３ａ，２５３ｂに当接するスライダー２３１ａ，２３１ｂをガイド部２２６が延在する方向の中央部にさらに移動させると、第２の突起部２５４ａ，２５４ｂを乗り越える。このとき、ワイヤー２３２はさらにたわんで、本体部１０と反対側にさらに突出する。そして、ワイヤー２３２は、背面部材２４を押圧し、伸ばす。
【００７２】
一方、背面部材２４は、その縮む力がワイヤー２３２に働き、ワイヤー２３２を押圧する。ワイヤー２３２が背面部材２４に押圧されると、スライダー２３１ａ，２３１ｂが両端部に向かって移動する。このとき、スライダー２３１ａ，２３１ｂは、第２の突起部２５４ａ，２５４ｂに当接する。これにより、スライダー２３１ａ，２３１ｂは、第２の突起部２５４ａ，２５４ｂよりもガイド部２２６が延在する方向の両端部側に移動することが規制される。
【００７３】
このとき、ワイヤー２３２が背面板２１９から大きく突出した第２の形態を形成する。第２の形態では、可動部２２２が大きく突出しているため、可動部２２２が背面部材２４とともに、本体部１０及び背面部２０２の姿勢を保持するスタンドとなる。
【００７４】
なお、本開示では、スライダーをユーザの手で動かす例を説明したが、スライダー２３１ａ，２３１ｂを、モータの駆動により自動的に移動させる構成としてもよい。
【００７５】
その他の構成は、上述した一の実施形態例に係るタブレットＰＣ１００と同様であるため、それらの説明は省略する。このような構成を有するタブレットＰＣ２００によっても、上述した一の実施形態例に係るタブレットＰＣ１００と同様の作用及び効果を得ることができる。
【００７６】
＜４．キーボードの構成例＞
次に、キーボード本体３００について、図１１〜図１４を参照して説明する。
図１１は、本開示の一の実施形態に係るキーボードの電源をオフにした状態を示す斜視図である。図１２は、本開示の一の実施形態に係るキーボードの一のキー入力部を押した時に他のキー入力部の表示が変化した状態を示す説明図である。
【００７７】
また、図１３は、本開示の一の実施形態に係るキーボードを図１１に示すＳ−Ｓ線に沿って断面して、キーボードのフレーム部材とベース部材を分離した状態を示す断面図である。図１４は、本開示の一の実施形態に係るキーボードを図１１に示すＳ−Ｓ線に沿って断面した断面図である。
【００７８】
［キーボード本体］
図１１に示すように、キーボード本体３００は、扁平な略直方体状に形成されている。図１３及び図１４Ｂに示すように、キーボード本体３００は、フレーム部材３０１、ベース部材３０２と、キー入力部３０３と、前面部材３０４を有する。
【００７９】
［フレーム部材］
次に、フレーム部材３０１について、図１１、図１３及び図１４を参照して説明する。
図１３に示すように、フレーム部材３０１は、操作面部となる上面板３１１と、下面部となる下面板３１７を有する。上面板３１１は、略長方形の平板に形成される。この上面板３１１には、複数の孔３１１ａが設けられている（図１４Ｂ参照）。
【００８０】
フレーム部材３０１における上面板３１１と反対側には、下面板３１７が設けられる。下面板３１７は、接続部３１２と、固定部３１３と、取付部３１４が設けられている。取付部３１４は、下面板３１７の中央部に略長方形状に凹んで形成されている。この取付部３１４には、ベース部材３０２が嵌め込まれる。
【００８１】
取付部３１４の外周には、固定部３１３が設けられている。固定部３１３は、取付部３１４の底部３１４ａから上面板３１１と反対側に略垂直に連続している。固定部３１３は、上面板３１１の端部と、接続部３１２を介して接続される。
【００８２】
取付部３１４の底部３１４ａの開口３１４ｂには、キー入力部３０３が挿入される。このキー入力部３０３は、取付部３１４に固定される。キー入力部３０３は、複数のキーにより構成される。ユーザが、キー入力部３０３により入力を行うと、キー入力部３０３から制御信号がタブレットＰＣ１００に入力される。そして、タブレットＰＣ１００では、入力された制御信号に基づいて、所定の情報処理等が行われる。
【００８３】
キーは、基端部３３６と、先端部３３８を有する。基端部３３６は、略直方体状に形成される。また、先端部３３８は、基端部３３６から略垂直に連続して突出して設けられる。この先端部３３８は、上面板３１１の複数の孔３１１ａに挿入される。そして、先端部３３８の先端面３３８ａは、上面板３１１における取付部３１４の底部３１４ａと反対側の面である操作面３１１ｃと同一平面上に設定される。これにより、先端部３３８の先端面３３８ａと上面板３１１の操作面３１１ｃは、凹凸のないフラットな面を形成することができる。そして、先端面３３８ａと操作面３１１ｃがフラットな面を形成することで、ユーザが持ち運ぶ際に、先端部３３８が引っかかることがなくなる。
【００８４】
本開示では、先端部３３８の先端面３３８ａと上面板３１１の操作面３１１ｃを同一平面上に設定されているが、先端面３３８ａが操作面３１１ｃよりも突出していてもよい。
【００８５】
［前面部材］
次に、前面部材３０４について、図１３及び図１４を参照して説明する。
前面部材３０４は、伸縮性を有する部材であり、前面部材３０４としては、例えば、ポリウレタンやシリコーンゴムなどを挙げることができる。前面部材３０４は、照明部３２５から出射された光を透過させる。なお、照明部３２５から出射された光が透過するように、前面部材３０４は、透光性を有する部材であるとより好ましい。
【００８６】
図１３及び図１４Ａに示すように、前面部材３０４は、上面板３１１の操作面３１１ｃを覆っている。そして、前面部材３０４は、操作面３１１ｃから接続部３１２を覆っている。図１４Ｃに示すように、さらに、前面部材３０４の端部３０４ａは、固定部３１３、取付部３１４の底部３１４ａに巻き込まれる。そして、前面部材３０４の端部３０４ａは、フレーム部材３０１とベース部材３０２により挟持される。これにより、フレーム部材３０１に前面部材３０４を強力に固定することができる。そして、前面部材３０４は、固定部３１３に、本体部１０の背面部材２４と同様に、接着剤などにより固定される。
【００８７】
本開示では、前面部材３０４は、接着剤により固定された例を示したが、これに限定されない。例えば、圧着により固定する他、様々な固定方法により固定することができる。
【００８８】
なお、前面部材３０４の表面に前面部材３０４を保護するコーティングをしてもよい。例えば、撥水コーティングや防汚コーティング等をしておくことができる。
【００８９】
本開示では、前面部材３０４が上面板３１１の操作面３１１ｃを覆うため、キー入力部３０３の先端部３３８と上面板３１１に設けられた複数の孔３１１ａとの間に形成される隙間に埃やゴミが侵入することを防止できる。その結果、キーボード本体３００の内部に埃やゴミが溜まることがなくなる。また、前面部材３０４をフレーム部材３０１に固定したことで、フレーム部材３０１とキー入力部３０３をつなぎ目がなく一体的に形成することができ、見た目上一つの部材として視認することができる。さらに、前面部材３０４を固定部３１３に巻き込んで固定することで、前面部材３０４に適度な張力が働き、前面部材３０４にしわがよりにくくなる。
【００９０】
［ベース部材］
次に、ベース部材３０２について、図１、図１３及び図１５を参照して説明する。
図１５は、本開示の一の実施形態に係るキーボードの可変部がベース部材から離反した状態を示す断面図である。
【００９１】
図１３に示すように、ベース部材３０２は、底板３２１と、可変部３２２と、格納部３２３と、底面部材３０５を有する。底板３２１は、略長方形状の平板に形成される。底板の上面３２１ｂの中央には、凹部３２１ｃが設けられている。この凹部３２１ｃには、照明部３２５が埋設されている。
【００９２】
照明部３２５は、キー入力部３０３に対して、光を照射する。照明部３２５が照射した光は、キー入力部３０３の先端部３３８を透過する。これにより、図１に示すような複数のキーが表示される。
【００９３】
また、ベース部材３０２における底板３２１の底面３２１ａには、格納部３２３が設けられている。格納部３２３は、底板３２１の底面３２１ａから上面３２１ｂ側に凹んで形成されている。この格納部３２３には、可変部３２２が格納される。
【００９４】
可変部３２２は、可変部材３３１と、回動部３３２により構成される。可変部材３３１は、略長方形状の平板により形成される。可変部材３３１が格納部３２３に格納されるため、可変部材３３１の厚さは、格納部３２３の深さと略同じ長さに設定されている。これにより、可変部材３３１がベース部材３０２から突出せず、ベース部材３０２の底面３２１ａをフラットな形状とすることができる。
【００９５】
また、可変部材３３１には、回動軸３３３が取り付けられている。そして、回動部３３２は、例えば、底板３２１に設けられた不図示の軸受部と、回動軸３３３と、回動軸３３３にひねられて取り付けられた不図示の弾性部材により構成される。回動軸３３３は、軸受部に回動可能に支持される。
【００９６】
図１５に示すように、不図示の弾性部材が底板３２１から離反させる方向に可動部材３１を付勢することで、可変部材３３１は、回動軸３３３を介して回動する。回動部３３２は、可変部材３３１を底板３２１から離反させる。そして、回動部３３２は、可変部材３３１を底板３２１と直交するまで回動させる。これにより、可変部３２２は、フレーム部材は３０１及びベース部材３０２の姿勢を保持するスタンドとなる。
【００９７】
図１３に示すように、可変部材３３１の一端部３３１ｂには、切欠き部３３１ｃが設けられている。この切欠き部３３１ｃは、底板３２１に設けたロック部３３４と係合する。ロック部３３４は、略長方形状の平板に形成されている。
【００９８】
そして、ロック部３３４は、可変部材３３１の一端部３３１ｂと当接しているため、可変部材３３１の回動を規制することができる。可変部材３３１の回動を規制することで、可変部材３３１が格納部３２３から飛び出すことを防止でき、可変部材３３１を格納部３２３に確実に格納することができる。
【００９９】
なお、様々な手法によりロック部３３４を外す構成とすることができる。例えば、ユーザがロック部３３４を押下した場合に、ロック部３３４が切欠き部３３１ｃから外れて、可変部材３３１が回動するような構成とすることができる。
【０１００】
また、他の例としては、モータの駆動によりロック部３３４を外して、可変部材３３１が自動的に回動するような構成としてもよい。さらに、可変部材３３１を、弾性部材の弾性力ではなく、モータを用いて回動させてもよい。
【０１０１】
ベース部材３０２の底板３２１の底面３２１ａには、底面部材３０５が覆われている。底面部材３０５は、上述した前面部材３０４と同様に、例えば、ポリウレタンやシリコーンゴムなどを挙げることができる。底面部材３０５に、前面部材３０４と同じ部材を使用することで、フレーム部材３０１とベース部材３０２に一体感が生まれる。その結果、キーボード本体３００は、美観が向上し、綺麗な外観を得ることができる。
【０１０２】
底面部材３０５は、底面３２１ａから上面３２１ｂに渡って覆っている。そして、底面部材３０５の端部は、底板の上面３２１ｂ側に巻き込まれて固定される。そして、底面部材３０５の端部は、フレーム部材３０１とベース部材３０２により挟持される。これにより、ベース部材３０２に底面部材３０５を強力に固定することができる。なお、底面部材３０５の固定方法は、上述した前面部材３０４の固定方法と同様の固定方法を使用することができる。
【０１０３】
また、底面部材３０５は、底板３２１の底面３２１ａを覆っているため、底板３２１の底面３２１ａに設けられた可変部３２２を隠すことができる。これにより、ベース部材３０２と可変部３２２のつなぎ目を隠すことができる。さらに、ベース部材３０２を下面板３１７の取付部３１４に固定したことで、ユーザがキーボード本体３００を使用するとき、ベース部材３０２とフレーム部材３０１のつなぎ目をユーザから目立ちにくくさせることができる。
【０１０４】
なお、底面部材３０５の表面に底面部材３０５を保護するコーティングをしてもよい。例えば、撥水コーティングや防汚コーティング等をしておくことができる。
【０１０５】
また、図１に示すように、キーボード本体３００の電源がオンの場合、後述するキーボード本体３００のベース部材３０２に設けられた照明部３２５がキー入力部３０３に光を照射し、複数のキーが表示される。キーボード本体３００の電源がオフの場合、図１１に示すように、前面部材３０４に複数のキーが表示されなくなる。
【０１０６】
また、図１２に示すように、一のキー３６１、例えば、ファンクションキー等を押下することにより、押下された一のキー３６１と異なる他のキー３６２の表示を変化させることができる。キーの表示を変化させる例としては、キーの色を変化させたり、キーを選択的に点滅させたり、あるいは、キーに文字を表示する等、その他様々な表示方法を挙げることができる。
【０１０７】
なお、ベース部材３０２に通信部を設け、この通信部が無線等により外部装置との間で情報を送受信可能に接続される構成を有してもよい。また、外部装置としては、例えば、パーソナルコンピュータ、プリンタ等を挙げることができる。
【０１０８】
また、このキーボード本体３００の構成を、例えば、折りたたみ式のノート型パソコン等にも適用することができる。
【０１０９】
＜５．キーボードの他の構成例＞
次に、本開示のキーボードの他の構成例について、図１６を参照して説明する。
図１６は本開示の他の実施形態例に係るキーボードをベース部材側から見た斜視図である。
【０１１０】
他の実施形態例に係るキーボード本体４００が一の実施形態例に係るキーボード本体３００と異なるところは、可動部である。ここでは、可動部に関連する事項について説明し、一の実施形態例に係るキーボード本体３００と共通する部分については説明を省略する。
【０１１１】
図１６に示すように、キーボード本体４００のベース部材４０２には、ガイド部４２６が設けられている。ガイド部４２６は、ベース部材４０２の長手方向に沿って延在して形成されている。このガイド部４２６には、可変部４２２が配設されている。可変部４２２は、ガイド部４２６が延在する方向の両端に配置されたスライダー４５１ａ，４５１ｂと、スライダー４５１ａ，４５１ｂを連結するワイヤー４５２とにより構成される。
【０１１２】
ワイヤー４５２は、例えばピアノ線などにより形成される。このワイヤー４５２の長さは、ガイド部４２６の長手方向の一端から他端までの長さと略同じである。
【０１１３】
スライダー４５１ａ，４５１ｂは、ガイド部４２６が延在する方向に沿って移動する。このとき、ワイヤー４５２はたわんで、ベース部材４０２と反対側に突出する。そして、ワイヤー４５２は、底面部材３０５を押圧し、伸ばす。これにより、可変部４２２は、フレーム部材３０１及びベース部材４０２を保持するスタンドとなる。
【０１１４】
その他の構成は、上述した一の実施形態例に係るキーボード本体３００と同様であるため、それらの説明は省略する。このような構成を有するキーボード本体４００によっても、上述した一の実施形態例に係るキーボード本体３００と同様の作用及び効果を得ることができる。
【０１１５】
なお、本開示は以下のような構成もとることができる。
（１）
表示部を有し、入力された情報を処理する本体部と、
前記本体部における前記表示部と反対側の背面を覆う背面部と、
前記背面部における前記本体部と対向する対向面と反対側の後面に取り付けられる可動部と、
伸縮性を有し、前記背面部と前記可動部を覆う背面部材と、を備える
電子機器。
（２）
前記可動部は、前記本体部及び前記背面部の姿勢を保持するスタンドである
請求項１に記載の電子機器。
（３）
前記スタンドは、前記本体部及び前記背面部の姿勢を少なくとも２段階以上変更可能である
請求項２に記載の電子機器。
（４）
前記背面部の前記後面から露出し、前記本体部の操作を行う操作部が備えられ、
前記背面部材は、前記操作部を覆う
請求項１〜３のいずれかに記載の電子機器。
（５）
前記本体部の前記背面には、光を出射する光源部が備えられ、
前記背面部には、前記光源部から出射された前記光が透光する導光部を設けた
請求項１〜４のいずれかに記載の電子機器。
（６）
前記背面部材は、前記背面部の前記後面から前記背面部の前記対向面の端部を覆い、
前記背面部材の端部は、前記背面部の前記前面側に巻き込まれて固定される
請求項１〜５のいずれかに記載の電子機器。
（７）
前記スタンドは、
前記背面部の前記後面に設けられた回動機構と、
前記背面部から離反又は前記背面部に接近するように前記回動機構に支持される可動部材と、を有する
請求項２又は３に記載の電子機器。
（８）
前記スタンドは、
前記背面部の前記後面に形成されるガイド部と、
前記ガイド部に移動可能に支持される２つのスライダーと、
前記２つのスライダーを連結するワイヤーと、を備え、
前記ガイド部には、前記２つのスライダーの位置を調整する調整部が設けられている
請求項２又は３に記載の電子機器。
（９）
前記本体部は、外部装置と無線通信可能な通信部を有する
請求項１〜８に記載の電子機器。
【０１１６】
なお、本開示は上述しかつ図面に示した実施の形態に限定されるものではなく、特許請求の範囲に記載した発明の要旨を逸脱しない範囲内で種々の変形実施が可能である。
【符号の説明】
【０１１７】
１・・・本体部、２，２０２・・・背面部、１１・・・表示パネル、１２・・・前面板、１３・・・カバー部材、１４・・・開口部、１８・・・収容部、１９，２１９・・・背面板、２０・・・周縁部、２２，２２２・・・可動部、２４・・・背面部材、２５・・・導光部、２６・・・収納部、２７，２２７・・・基板部、３１・・・可動部材、３２・・・回動機構、１００，２００・・・タブレットＰＣ（電子機器）、２２６，４２６・・・ガイド部、２３１ａ，２３１ｂ，４５１ａ，４５１ｂ・・・スライダー、２３２・・・ワイヤー、２５３ａ，２５３ｂ・・・第１の突起部、２５４ａ，２５４ｂ・・・第２の突起部、３００，４００・・・キーボード本体、３０１・・・フレーム部材、３０２，４０２・・・ベース部材、３０３・・・キー入力部、３０４・・・前面部材、３０５・・・底面部材、３１１・・・上面板（操作面部）、３１４・・・取付部、３１７・・・下面板（下面部）、３２１・・・底板、３２２，４２２・・・可変部
【図１】
2013131166.tif 000003
【図２】
2013131166.tif 000004
【図３】
2013131166.tif 000005
【図４】
2013131166.tif 000006
【図５】
2013131166.tif 000007
【図６】
2013131166.tif 000008
【図７】
2013131166.tif 000009
【図８】
2013131166.tif 000010
【図９】
2013131166.tif 000011
【図１０】
2013131166.tif 000012
【図１１】
2013131166.tif 000013
【図１２】
2013131166.tif 000014
【図１３】
2013131166.tif 000015
【図１４】
2013131166.tif 000016
【図１５】
2013131166.tif 000017
【図１６】
2013131166.tif 000018